(57)【特許請求の範囲】
【請求項１】
インターネットプロトコルネットワークにより相互に接続されるとともにファクシミリ装置に接続される中継装置間において、
送信側ファクシミリ装置から呼設定時に送信される受信側ファクシミリ装置の電話番号から対応するＩＰアドレスへアドレス変換を行う過程と、
前記送信側ファクシミリ装置からファクシミリデータの送信を示す識別信号を受信した場合に、前記ＩＰアドレス先への中継装置に対し、フロー制御及び再送機能を有するＴＣＰコネクション確立要求を行う過程と、
前記ＴＣＰコネクションにより、前記ＩＰアドレス先への中継装置に対して、ファクシミリデータを伝送する過程とを含み、
前記ＴＣＰコネクションにより、ファクシミリデータを伝送する過程において、インターネットプロトコルネットワークの回線負荷と、ファクシミリデータ伝送の通信サービスレベルに応じて予め設定されたしきい値とを比較し、該回線負荷が該しきい値以下のときに、ファクシミリデータを送信することを特徴とするインターネットプロトコルネットワークを介するファクシミリデータ伝送方法。
【請求項２】
前記ＴＣＰコネクションにより、ファクシミリデータを伝送する過程において、前記回線負荷と前記通信サービスレベルに応じて予め設定された送信タイミング情報とに基づいて、ファクシミリデータの送信タイミングを制御する過程を含むことを特徴とする請求項１に記載のインターネットプロトコルネットワークを介するファクシミリデータ伝送方法。
【請求項３】
インターネットプロトコルネットワークにより相互に接続されるとともにファクシミリ装置に接続される中継装置において、
送信側ファクシミリ装置から呼設定時に送信される受信側ファクシミリ装置の電話番号から対応するＩＰアドレスへアドレス変換を行う手段と、
前記送信側ファクシミリ装置からファクシミリデータの送信を示す識別信号を受信した場合に、前記ＩＰアドレス先への中継装置に対し、フロー制御及び再送機能を有するＴＣＰコネクション確立要求を送信する手段と、
前記ＴＣＰコネクションにより、前記ＩＰアドレス先への中継装置に対して、ファクシミリデータを伝送する手段とを備え、
前記ＴＣＰコネクションにより、ファクシミリデータを伝送する手段は、インターネットプロトコルネットワークの回線負荷とファクシミリデータ伝送の通信サービスレベルに応じて予め設定されたしきい値とを比較する手段と、該回線負荷が該しきい値以下のときに、ファクシミリデータを送信する手段と、ファクシミリデータを一時的に蓄積する蓄積手段とを有することを特徴とするインターネットプロトコルネットワークを介するファクシミリデータ伝送の中継装置。
【請求項４】
前記ＴＣＰコネクションにより、ファクシミリデータを伝送する手段は、前記回線負荷と前記通信サービスレベルに応じて予め設定された送信タイミング情報とに基づいて、ファクシミリデータの送信タイミングを制御する手段を有することを特徴とする請求項３に記載のインターネットプロトコルネットワークを介するファクシミリデータ伝送の中継装置。
【発明の詳細な説明】
【０００１】
【発明の属する技術分野】
本発明は、音声データ端末、ファクシミリ装置又はデータ端末間の通信が混在するプライべートネットワークを含む広範囲のインターネットプロトコルネットワークを介するファクシミリデータ伝送方法及びその中継装置に関する。
【０００２】
【従来の技術】
インターネットプロトコルネットワークを介してファクシミリデータを伝送する場合、ファクシミリ装置とインターネットプロトコルネットワークとを接続するルータ又はゲートウェイ等の中継装置は、ファクシミリデータを音声データと同様のコーディングによりデータ化し、ＵＤＰ（Ｕｓｅｒ  Ｄａｔａｇｒａｍ  Ｐｒｏｔｏｃｏｌ）プロトコルにより送信相手先のルータ又はゲートウェイ等の中継装置に転送する。
【０００３】
ＵＤＰプロトコルは、処理オーバヘッド小さくプロトコル処理が高速であり、音声データ端末間の通信のように、即時性の高いデータの転送には好適に用いられるが、誤り訂正や再送の機能がないため信頼性が低い。
【０００４】
図８は従来のインターネットプロトコルネットワークを介するファクシミリデータ伝送の中継装置の説明図である。同図において、８−１０はルータ又はゲートウェイ等の中継装置、８−１はファクシミリ装置が接続される回線の回線制御部、８−２はインターネットプロトコルネットワークの回線の回線制御部、８−３はプロトコル変換部、８−４はアドレス変換テーブル、８−５はデータ蓄積部、８−６は出力部である。８−７は制御部である。
【０００５】
制御部８−７は、アドレス変換テーブル８−４を備え、データ蓄積部８−５、出力部８−６を制御する。回線制御部８−１に接続されたファクシミリ装置（図示省略）から発信要求があると、制御部８−７は、回線制御部８−１で受信したダイヤリング信号（送信相手先の電話番号）をもとに、アドレス変換テーブル８−４を用いて対応するＩＰアドレスを検索し、該ＩＰアドレスをプロトコル変換部８−３に出力する。
【０００６】
プロトコル変換部８−３は、該ＩＰアドレスを送信先アドレスとし、回線制御部８−１から入力されるファクシミリデータを、音声データ等と同様にＵＤＰプロトコルのデータにプロトコル変換する。
【０００７】
データ蓄積部８−５は、プロトコル変換部８−３から出力されるＵＤＰプロトコルのデータグラムを、制御部８−７の制御に従って蓄積し、出力部８−６は、データ蓄積部８−５に蓄積されたＵＤＰプロトコルのデータグラムを、制御部８−７の制御に従って出力し、回線制御部８−２を介して、インターネットプロトコルネットワークへ送信する。
【０００８】
【発明が解決しようとする課題】
インターネットプロトコルネットワークを介する従来のファクシミリデータ伝送は、ＵＤＰプロトコルを使用し、音声データ等の伝送と同一の通信サービスレべルとして扱い、インターネットプロトコルネットワーク上を通過させる。
【０００９】
ところが、ファクシミリデータ伝送は、音声データの伝送に比べ、伝送データの特性上、高品質の伝送品質が要求される。しかし、前述したようにインターネットプロトコルネットワーク内でのファクシミリデータは、音声データと同様にＵＤＰプロトコルを使用して伝送されるため、フロー制御や再送制御等のエラーリカバリ制御が行われない。
【００１０】
また、ファクシミリデータは、インターネットプロトコルネットワークを共有する他の音声データや会話型データ端末間の通信データとは異なり、一般的に、即時転送の必要性が無いものが多い。
【００１１】
しかし、インターネットプロトコルネットワーク上でファクシミリデータは、即時転送が要求される他の通信データと同様に扱われているため、インターネットプロトコルネットワーク内の或る区間が高トラフィックとなった場合に、本来低トラフィック時に送信すればよいファクシミリデータが、その区間を共有し、即時性を要する他のデータ通信に影響を及ぼし、インターネットプロトコルネットワーク全体の性能低下をもたらす要因の一つにもなっていた。
【００１２】
本発明は、インターネットプロトコルネットワークを介するファクシミリデータ伝送の伝送品質を向上させ、かつ、インターネットプロトコルネットワークのトラフィック負荷を均一化させ、過負荷によるインターネットプロトコルネットワーク全体の性能低下を防ぐファクシミリデータ伝送方法及びその中継装置を提供することを目的とする。
【００１３】
【課題を解決するための手段】
本発明のファクシミリデータ伝送方法は、（１）インターネットプロトコルネットワークにより相互に接続されるとともにファクシミリ装置に接続される中継装置間において、送信側ファクシミリ装置から呼設定時に送信される受信側ファクシミリ装置の電話番号から対応するＩＰアドレスへアドレス変換を行う過程と、前記送信側ファクシミリ装置からファクシミリデータの送信を示す識別信号を受信した場合に、前記ＩＰアドレス先への中継装置に対し、フロー制御及び再送機能を有するＴＣＰコネクション確立要求を行う過程と、前記ＴＣＰコネクションにより、前記ＩＰアドレス先への中継装置に対して、ファクシミリデータを伝送する過程とを含むものである。ファクシミリデータをＴＣＰコネクションにより伝送することにより、伝送品質を向上させることができる。
【００１４】
また、（２）前記ＴＣＰコネクション確立要求を行う過程において、ファクシミリデータの送信を示す固有の特定ポート番号をＴＣＰコネクション確立要求とともに送信する過程を含むものである。
【００１５】
（３）前記ＴＣＰコネクションにより、ファクシミリデータを伝送する過程において、インターネットプロトコルネットワークの回線負荷と、ファクシミリデータ伝送の通信サービスレベルに応じて予め設定されたしきい値とを比較し、該回線負荷が該しきい値以下のときに、ファクシミリデータを送信する過程を含むものである。インターネットプロトコルネットワークの回線負荷が小さいときにファクシミリデータを伝送することにより、インターネットプロトコルネットワークのトラフィック負荷を均一化させることができる。
【００１６】
また、（４）前記ＴＣＰコネクションにより、ファクシミリデータを伝送する過程において、前記回線負荷と前記通信サービスレベルに応じて予め設定された送信タイミング情報とに基づいて、ファクシミリデータを送信するか否かを決定する過程を含むものである。
【００１７】
また、本発明のファクシミリデータ伝送の中継装置は、（５）インターネットプロトコルネットワークにより相互に接続されるとともにファクシミリ装置に接続される中継装置において、送信側ファクシミリ装置から呼設定時に送信される受信側ファクシミリ装置の電話番号から対応するＩＰアドレスへアドレス変換を行う手段と、前記送信側ファクシミリ装置からファクシミリデータの送信を示す識別信号を受信した場合に、前記ＩＰアドレス先への中継装置に対し、フロー制御及び再送機能を有するＴＣＰコネクション確立要求を送信する手段と、前記ＴＣＰコネクションにより、前記ＩＰアドレス先への中継装置に対して、ファクシミリデータを伝送する手段とを備えたものである。
【００１８】
また、（６）前記ＴＣＰコネクション確立要求を送信する手段は、ファクシミリデータの送信を示す固有の特定ポート番号をＴＣＰコネクション確立要求とともに送信する構成を有するものである。
【００１９】
また、（７）前記ＴＣＰコネクションにより、ファクシミリデータを伝送する手段は、インターネットプロトコルネットワークの回線負荷とファクシミリデータ伝送の通信サービスレベルに応じて予め設定されたしきい値とを比較する手段と、該回線負荷が該しきい値以下のときに、ファクシミリデータを送信する手段と、ファクシミリデータを一時的に蓄積する蓄積手段とを備えたものである。
【００２０】
また、（８）前記ＴＣＰコネクションにより、ファクシミリデータを伝送する手段は、前記回線負荷と前記通信サービスレベルに応じて予め設定された送信タイミング情報とに基づいて、ファクシミリデータの送信タイミングを制御する手段を備えたものである。
【００２１】
【発明の実施の形態】
図１は、本発明のインターネットプロトコルネットワークを介するファクシミリデータ伝送の説明図である。同図において、１−１０，１−２０はルータ又はゲートウェイ等の中継装置、１−３１，１−３２は該中継装置に直接接続されたファクシミリ装置、１−４０は音声交換機、１−４１，１−４２は該音声交換機を介して接続されるファクシミリ装置である。ファクシミリ装置１−３１，１−３２，１−４１，１−４２は、一般の電話回線等によりファクシミリデータを送受する通常のファクシミリ装置である。
【００２２】
中継装置１−１０，１−２０は、それぞれ、通常の電話回線とのインタフェース機能を有する回線制御部１−１を備え、該回線制御部１−１は、ファクシミリ装置１−３１，１−３２に直接、又は音声交換機１−４０を介してファクシミリ装置１−４１，１−４２に接続される。
【００２３】
また、、中継装置１−１０，１−２０は、それぞれ、インターネットプロトコルネットワークとのインタフェース機能を有する回線制御部１−２を備え、該回線制御部１−２を介してインターネットプロトコルの広域ネットワークに接続される。更に、中継装置１−１０，１−２０は、ＬＡＮとのインタフェース機能を有する回線制御部を備え、ＬＡＮに接続されるものであってもよい。
【００２４】
図１に示す中継装置１−１０，１−２０は、本発明のファクシミリデータ伝送の中継装置であり、その構成図を図２に示す。電話回線とのインタフェース機能を有する回線制御部１−１は、ファクシミリ装置から送信される呼設定信号を受信し、ＣＮＧ信号（呼出し信号）を検出すると、ファクシミリデータの送信要求であることを認識し、該送信要求をプロトコル変換部１−３に通知する機能を有する。
【００２５】
プロトコル変換部１−３は、ファクシミリデータの送信要求を通知されると、音声データ等の転送用のＵＤＰプロトコルから、信頼性の高い伝送品質のＴＣＰプロトコルへと、データ転送に用いるプロトコルを変更し、また、ＴＣＰプロトコルへの変換の際、ファクシミリデータ伝送の通信サービスレベルに応じた固有のＴＣＰアプリケーションポート番号を付与し、ＴＣＰコネクション確立要求を行う機能手段を有する。
【００２６】
アドレス変換テーブル１−４は、インターネットプロトコルネットワークを介して接続される各々の電話機又はファクシミリ装置毎に、その電話番号とＩＰアドレスとを対応付けて管理する機能手段を有する。
【００２７】
監視部１−６は、インターネットプロトコルネットワークの回線負荷を常に監視し、該回線負荷を制御テーブル１−５に通知する。制御テーブル１−５は、予め登録したインターネットプロトコルネットワークの回線負荷のしきい値と、通信サービスレベルに応じた送信タイミングに関する情報を格納し、制御部１−９は該テーブルに格納された情報に基づいて、データ蓄積部１−７と出力部１−８とに対して、ファクシミリデータの蓄積と送信タイミングの制御を行う機能手段を有する。
【００２８】
データ蓄積部１−７及び出力部１−８は、監視部１−６により監視される回線負荷の状態に応じた制御部１−９による制御に従って、ファクシミリデータを一時的に蓄積し、又はファクシミリデータを回線制御部１−２へ出力する。回線制御部１−２からはインターネットプロトコルネットワークを介して、対向する受信側中継装置へファクシミリデータが送信される。
【００２９】
ここで、図１を参照して、中継装置１−１０に接続されているファクシミリ装置１−３１から、中継装置１−２０に接続されているファクシミリ装置１−３２へ、ファクシミリデータを転送する動作について説明する。
【００３０】
中継装置１−１０に接続されているファクシミリ装置１−３１から、ファクシミリ装置１−３２の電話番号「９００３」がダイヤリングされると、中継装置１−１０は、アドレス変換テーブル１−４を参照し、電話番号「９００３」から該電話番号に対応する送信先ＩＰアドレスを検索し、送信先ＩＰアドレス「１９２．１６８．２．４」を認識する。
【００３１】
中継装置１−１０は、先ず、音声データの伝送の場合と同様に、アドレス変換テーブル１−４から獲得した相手先のＩＰアドレスへの送信先中継装置（ルータ又はゲートウェイ）を検索し、ＵＤＰプロトコルデータとして、送信先中継装置１−２０に相手先ファクシミリ装置の電話番号を通知する。
【００３２】
送信先中継装置１−２０は、送信元中継装置１−１０からＵＤＰプロトコルデータにより電話番号が送られる際に、送信元ＩＰアドレスが通知され、送信元中継装置１−１０と送信先の中継装置１−２０との間に、双方向にＵＤＰプロトコルコネクションが確立する。
【００３３】
ＵＤＰプロトコルコネクション確立後、送信側のファクシミリ装置１−３１は、ファクシミリ装置等の非音声データ端末であることを識別させるための、Ｔ．３０伝送制御手順（ＩＴＵ−Ｔ）に従うＣＮＧ信号（呼出し識別信号）を中継装置１−１０に送信する。
【００３４】
送信側の中継装置１−１０はＣＮＧ信号の受信により、当該通信がファクシミリデータ通信をあると判別し、中継装置１−１０内の制御テーブル１−５を参照し、制御テーブル１−５に設定された情報に基づき、当該通信のインターネットプロトコルネットワーク内の通信サービスレべルを決定する。
【００３５】
送信側の中継装置１−１０は、決定した通信サービスレべルを、ＴＣＰプロトコルコネクション確立要求データとともに、受信側の中継装置１−２０に送信する。ＴＣＰプロトコルのへッダフオーマットは図３に示すように、ポート番号を格納する領域があり、特定のポート番号を通信サービスレべルに対応させ、特定のポート番号をＴＣＰプロトコルヘッダに格納し、通信サービスレべルを相手装置へ通知することができる。
【００３６】
受信側の中継装置１−２０は、受信したＴＣＰコネクション確立要求をＣＮＧ信号に変換し、受信側ファクシミリ装置１−３２に送信するとともに、要求されている通信サービスレべルと予め制御テーブル１−５に設定されている通信サービスとを比較し、低いパラメータ値を選択する。
【００３７】
ＣＮＧ信号を受信した受信側ファクシミリ装置１−３２は、ＣＥＤ信号（応答識別信号）を受信側の中継装置１−２０に送信する。ＣＥＤ信号を受信した受信側の中継装置１−２０は、該ＣＥＤ信号をＴＣＰコネクション確立応答に変換するとともに、前記通信サービスレべルの比較により選択した低いパラメータ値の通信サービスレべルを、当該応答データ内に格納し、送信側の中継装置１−１０に送信する。
【００３８】
送信側の中継装置１−１０は、受信したＴＣＰコネクション確立応答をＣＥＤ信号に変換し、送信側ファクシミリ装置１−３１に送信するとともに、受信側ファクシミリ装置１−３２から通知された通信サービスレベルを制御テーブル１−５に格納する。
【００３９】
このようにして、送信側ファクシミリ装置１−３１と受信側ファクシミリ装置１−３２との間でＴＣＰプロトコルコネクションが確立され、以後のＴＣＰプロトコルによるファクシミリデータ転送が可能となる。
【００４０】
送信側の中継装置１−１０内の制御テーブル１−５は、予め設定されている通信サービスレべルに従い、インターネットプロトコルネットワークの回線負荷に応じて、回線制御部１−２から出力するファクシミリデータの待ちキュー制御を行う。
【００４１】
送信側の中継装置装置１−１０は、監視部１−６において、常にインターネットプロトコルネットワークの回線負荷を監視し、回線負荷が予め設定されたしきい値を超えている場合で、しかも、送信しようとするデータがＴＣＰプロトコルアプリケーション番号によりファクシミリデータと判別された場合、送信の順番が当該データの番を迎えても、予め制御テーブル１−５に設定された送信タイミング情報等に則り、即時転送の必要性の有無を決定し、その決定に従ってインターネットプロトコルネットワークへ転送する。
【００４２】
制御テーブル１−５に設定する設定情報は、通信サービスレベルに応じて許容される転送遅延時間以内に転送するための待ち時間や到着時間等の送信タイミングに関する情報を設定することができる。更に、通信サービスレベルに応じた送信タイミングに関する情報をもとに、変動する前記しきい値を設定する構成とすることもできる。
【００４３】
監視部１−６による回線負荷がしきい値を超え、かつ、即時転送の必要無しと判定された場合、ファクシミリデータはデータ蓄積部１−７に一時的に蓄積され、次の送信機会まで待ちキューに保持される。次の送信機会は制御部１−９により決定される。
【００４４】
図４は本発明のファクシミリデータ伝送の発信手順のシーケンス図である。
（４−１）  送信側ファクシミリ装置（ＦＡＸ装置ａ）は、送信側中継装置（ルータａ）に呼設定のダイヤリングを行うと、送信側中継装置（ルータａ）はＵＤＰプロトコルにより、受信側中継装置（ルータｂ）に相手先の電話番号を送信し、受信側中継装置（ルータｂ）は該電話番号をもとに、相手先のファクシミリ装置（ＦＡＸ装置ｂ）を呼び出すとともに、送信側中継装置（ルータａ）と受信側中継装置（ルータｂ）との間で、ＩＴＵ−Ｔ  Ｈ．３２３規格に準じたＵＤＰプロトコルコネクションを確立する。
【００４５】
（４−２）  送信側ファクシミリ装置（ＦＡＸ装置ａ）は、送信側中継装置（ルータａ）にＣＮＧ信号を送信し、送信側中継装置（ルータａ）は、ＣＮＧ信号をＴＣＰコネクション確立要求に変換して受信側中継装置（ルータｂ）に送信し、受信側中継装置（ルータｂ）はＴＣＰコネクション確立要求をＣＮＧ信号に変換して、受信側ファクシミリ装置（ＦＡＸ装置ｂ）に送信する。
【００４６】
（４−３）  受信側ファクシミリ装置（ＦＡＸ装置ｂ）は、ＣＮＧ信号の受信に応答してＣＥＤ信号を受信側中継装置（ルータｂ）に送信し、受信側中継装置（ルータｂ）は、ＣＥＤ信号をＴＣＰコネクション確立応答に変換して送信側中継装置（ルータａ）に送信し、送信側中継装置（ルータａ）はＴＣＰコネクション確立応答をＣＥＤ信号に変換して送信側ファクシミリ装置（ＦＡＸ装置ａ）に送信する。
【００４７】
（４−４）  受信側ファクシミリ装置（ＦＡＸ装置ｂ）はファクシミリ装置の各種所要機能の識別や選択を示すＤＩＳ信号又はＧＩ信号等を、ＴＣＰプロトコルデータとして送信側ファクシミリ装置（ＦＡＸ装置ａ）に送信する。
【００４８】
（４−５）  送信側ファクシミリ装置（ＦＡＸ装置ａ）は通信モードを指定するＤＴＣ信号又はＧＣ信号と位相整合信号等をＴＣＰプロトコルデータとして受信側ファクシミリ装置（ＦＡＸ装置ｂ）に送信する。
（４−６）  受信側ファクシミリ装置（ＦＡＸ装置ｂ）は受信準備完了信号ＣＦＲをＴＣＰプロトコルにより送信側ファクシミリ装置（ＦＡＸ装置ａ）に送信する。
【００４９】
（４−７）  以上、Ｔ．３０伝送制御手順（ＩＴＵ−Ｔ）に規定される各種の手順信号を送受したのち、送信側ファクシミリ装置（ＦＡＸ装置ａ）は、ファクシミリデータを送信側中継装置（ルータａ）に送信する。
【００５０】
（４−８）  送信側中継装置（ルータａ）は、ファクシミリデータをＴＣＰプロトコルによりシーケンス番号を付与して受信側中継装置（ルータｂ）に送信し、受信側中継装置（ルータｂ）はその受信確認シーケンス番号を含む応答信号を、ＴＣＰプロトコルにより送信側中継装置（ルータａ）に返送する。
【００５１】
（４−９）  送信側中継装置（ルータａ）と受信側中継装置（ルータｂ）とは、図３に示すＴＣＰヘッダに格納されたシーケンス番号及び確認応答番号の連続性及びチェックサムを監視することにより、紛失した又は正常に受信できなかったファクシミリデータを検出することができ、伝送エラーとなったシーケンス番号のファクシミリデータは送信側中継装置（ルータａ）に通知され、送信側中継装置（ルータａ）は該伝送エラーとなったシーケンス番号のファクシミリデータを受信側中継装置（ルータｂ）へ再送する。従って、伝送エラーに対するエラーリカバリが行われ、信頼性の高いデータ転送が行われる。
【００５２】
（４−１０）  受信側中継装置（ルータｂ）は、送信側中継装置（ルータａ）から受信したファクシミリデータを、受信側ファクシミリ装置（ＦＡＸ装置ｂ）に送信する。
【００５３】
図５及び図６は本発明の送信側中継装置におけるファクシミリデータ送信動作のフロー図である。
送信側中継装置は、送信側ファクシミリ装置から発信されたダイヤリング信号を受信する（５−１）と、受信したダイヤリング情報を、ＵＤＰプロトコルにより、受信側中継装置に送信する（５−２）。
【００５４】
送信側中継装置は、送信側ファクシミリ装置から送信されるトーナル手順又はバイナリ手順のＣＮＧ信号が受信されるか否かを監視し（５−３）、ＣＮＧ信号が受信された場合、通信サービスレベルを設定し、対向する受信側中継装置に特定ＴＣＰポート番号によるＴＣＰコネクション確立要求を送信する（５−４）。前記フロー（５−３）において、ＣＮＧ信号が受信されない場合、ＵＤＰプロトコルにより、以降、受信データを音声データとして送信する（５−５）。
【００５５】
ＴＣＰコネクション確立要求に対する受信側中継装置からのＴＣＰコネクション確立応答が受信されるかどうかを監視し（５−６）、該応答が受信されると、ＣＥＤ信号を送信側ファクシミリ装置に送信するとともに、受信したＴＣＰコネクション確立応答データ内に格納されている通信サービスを制御テーブルに記憶させる（５−７）。
【００５６】
また、対向する受信側中継装置１−２０からＴＣＰプロトコルデータにより受信したＤＩＳ／ＧＩ信号、ＣＦＲ信号等を、トーナル手順又はバイナリ手順のＤＩＳ／ＧＩ信号、ＣＦＲ信号等として送信側ファクシミリ装置に送信し、送信側及び受信側のファクシミリ装置間のモード設定を行い、ファクシミリデータの送受信が可能な状態にする（５−８）。
【００５７】
そして、送信側中継装置は、送信側ファクシミリ装置から送信されるファクシミリデータを受信（５−９）しながら、図６に示すファクシミリデータの送信フローを実行する。
【００５８】
図６に示すように、送信側中継装置１−１０は、監視部１−６から通知される回線負荷と制御テーブルの回線負荷しきい値と比較する（６−１）。制御テーブルに設定されたしきい値より、監視部１−６から通知される回線負荷の値が大きい場合、送信側ファクシミリ装置から受信したファクシミリデータを、データ蓄積部へ蓄積する（６−２）。
【００５９】
制御テーブルの回線負荷しきい値より、監視部から通知される回線負荷が小さい場合、送信側中継装置は、データ蓄積部の蓄積データ有無を確認する（６−３）。
【００６０】
蓄積データが有る場合、データ蓄積部の蓄積データを対向する受信側中継装置へ送信し（６−４）、前述のフロー（６−１）へ戻る。蓄積データが無い場合、受信したファクシミリデータの有無を判定し（６−５）、受信したファクシミリデータが有る場合、受信したファクシミリデータを、対向する受信側中継装置へ送信する（６−６）。
【００６１】
送信側中継装置は、ファクシミリデータを音声データと同様のコーディングにより対向する受信側中継装置へ送信し、送信側ファクシミリ装置から受信したファクシミリデータが無くなり、一連の手順を完了したことを示す信号ＥＯＰ等を送信した後、ファクシミリデータの送信を終了する。
【００６２】
図７は本発明の受信側中継装置におけるファクシミリデータ受信動作のフロー図である。受信側中継装置は、送信側中継装置からＵＤＰプロトコルによるダイヤリング信号を受信し（７−１）、ＵＤＰコネクションを確立する（７−２）。
【００６３】
その後、送信側中継装置からＣＮＧ信号受信による特定ＴＣＰポート番号のＴＣＰコネクション確立要求が受信されるか否かを判定する（７−３）。ＴＣＰコネクション確立要求が受信されない場合、ファクシミリデータ送信要求でないと判断し、ＵＤＰプロトコルにより音声データを受信する（７−４）。
【００６４】
受信側中継装置は、特定ＴＣＰポート番号のＴＣＰコネクション確立要求が受信されると、ＣＮＧ信号を受信側ファクシミリ装置に送信するとともに、送信側中継装置からＴＣＰコネクション確立要求とともに送信された通信サービスレベルを、受信側中継装置１−２０内の制御テーブル１−５に設定されている通信サービスレベルと比較し、その低い方の通信サービスレベルを選択する（７−５）。
【００６５】
なお、送信側中継装置から通知する通信サービスレベルは、ＴＣＰポート番号に対応させることができる。また、通信サービスレベルに応じて制御テーブルに設定される回線負荷のしきい値が異なる値となる。
【００６６】
受信側中継装置は、受信側ファクシミリ装置からＣＥＤ信号が受信されるか否かを判定し（７−６）、ＣＥＤ信号が受信された後、前記フロー（７−５）において、ＴＣＰコネクション確立要求とともに送信された通信サービスレベルを選択した場合は、その通信サービスレベルをそのまま、送信側中継装置へのＴＣＰコネクション確立応答ともに送信する（７−７）。
【００６７】
また、前記フロー（７−５）において、受信側中継装置内の制御テーブルに設定されている通信サービスレベルを選択した場合は、その通信サービスレベルを、送信側中継装置へのＴＣＰコネクション確立応答ともに送信する（７−８）。
【００６８】
そして、受信側ファクシミリ装置からトーナル手順又はバイナリ手順により受信したＤＩＳ／ＧＩ信号、ＣＦＲ信号等を、ＴＣＰプロトコルデータにより送信側中継装置へ送信し、送信側及び受信側のファクシミリ装置間のモード設定を行い（７−９）、ファクシミリデータの送受信が可能な状態にする。
【００６９】
そして、受信側中継装置は、送信側ファクシミリ装置から送信側中継装置、インターネットプロトコルネットワークを介して送信されたファクシミリデータを受信し、該受信データを通常の電話回線を介して送信するファクシミリデータ信号により、受信側ファクシミリ装置に送信する（７−１０）。
【００７０】
【発明の効果】
以上説明したように、本発明によれば、インターネットプロトコルネットワークを介してファクシミリデータを伝送する際に、ファクシミリデータの送信を示す手順信号を受信した場合にＴＣＰコネクション確立要求を行い、ＴＣＰコネクションを用いてファクシミリデータを伝送することにより、ＵＤＰプロトコルによる音声データの伝送に比べ、フロー制御、順序制御、再送等による伝送エラーのリカバリ処理が可能となり、ファクシミリデータ伝送の信頼性を向上させることができる。
【００７１】
また、インターネットプロトコルネットワークの回線負荷を監視し、低トラフィックの状態のときにファクシミリデータを伝送することにより、インターネットプロトコルネットワークの負荷が均一化され、過負荷によるインターネットプロトコルネットワーク全体の性能低下を防止することができる。
【図面の簡単な説明】
【図１】本発明のインターネットプロトコルネットワークを介するファクシミリデータ伝送の説明図である。
【図２】本発明のインターネットプロトコルネットワークを介するファクシミリデータ伝送の中継装置の構成図である。
【図３】ＴＣＰプロトコルのへッダフオーマットを示す図である。
【図４】本発明のファクシミリデータ伝送の発信手順のシーケンス図である。
【図５】本発明の送信側中継装置におけるファクシミリデータ送信動作のフロー図である。
【図６】本発明の送信側中継装置におけるファクシミリデータ送信動作のフロー図である。
【図７】本発明の受信側中継装置におけるファクシミリデータ受信動作のフロー図である。
【図８】従来のインターネットプロトコルネットワークを介するファクシミリデータ伝送の中継装置の説明図である。
【符号の説明】
１−１０，１−２０  ルータ又はゲートウェイ等の中継装置
１−３１，１−３２，１−４１，１−４２  ファクシミリ装置
１−４０  音声交換機
１−１，１−２  回線制御部
１−３  プロトコル変換部
１−４  アドレス変換テーブル
１−５  制御テーブル
１−６  監視部
１−７  データ蓄積部
１−８  出力部
１−９  制御部
【図１】
0003603256.tif 000002
【図２】
0003603256.tif 000003
【図３】
0003603256.tif 000004
【図４】
0003603256.tif 000005
【図５】
0003603256.tif 000006
【図６】
0003603256.tif 000007
【図７】
0003603256.tif 000008
【図８】
0003603256.tif 000009